(57)【要約】【課題】簡単に持ち運びができ、任意の箇所に自在に設置できる送風機を提供する。【解決手段】正面及び背面に通風口１２を有する箱型の保護カバー１４と、保護カバー１４内に回転自在に収納された回転羽根１６と、回転羽根１６を回転駆動するモータ１８と、保護カバー１４の外面に回動自在に取付けられ、保護カバー１４を支持するＬ字状の支持脚２０とを備えた。支持脚２０を、漸次縮径する複数のロッドを順次繋ぎ合わせて構成し、あるいは、複数のロッドをボールジョイントを介して順次繋ぎ合わせて構成している。送風機の取付け時に、Ｌ字状の支持脚２０を回動することにより、洗濯機３４の洗濯物を出し入れする開口部に取付けたり、居住内の窓辺に吊り下げて取付けたりすることが簡単にできる。【選択図】図１
0003114885.tif 000002
【実用新案登録請求の範囲】
【請求項１】
正面及び背面に通風口を有する箱型の保護カバーと、
前記保護カバー内に回転自在に収納された回転羽根と、
前記回転羽根を回転駆動するモータと、
前記保護カバーの外面に回動自在に配設され、前記保護カバーを支持するＬ字状の支持脚とを備えたことを特徴とする送風機。
【請求項２】
請求項１記載の送風機において、
前記支持脚を、漸次縮径する複数のロッドを順次繋ぎ合わせて構成したことを特徴とする送風機。
【請求項３】
請求項１記載の送風機において、
前記支持脚を、複数のロッドをボールジョイントを介して順次繋ぎ合わせて構成したことを特徴とする送風機。
【請求項４】
請求項１〜３のいずれかに記載の送風機において、
前記保護カバーの側面に、２本の前記支持脚を所定間隔を置いて配設したことを特徴とする送風機。
【請求項５】
請求項４記載の送風機において、
前記２本の支持脚を、各基部を前記保護カバーの側面に設けられた長溝にそれぞれ摺動自在に嵌合して配設したことを特徴とする送風機。
【請求項６】
請求項１〜３のいずれかに記載の送風機において、
前記支持脚を、その基部を前記保護カバーの側面に設けた回転軸の頭部の側面に固着して前記保護カバーに配設したことを特徴とする送風機。
【請求項７】
請求項１〜６のいずれかに記載の送風機において、
前記支持脚の先端部に、ゴム弾性材からなる保護被覆層を設けたことを特徴とする送風機。
【考案の詳細な説明】
【技術分野】
【０００１】
本考案は、持ち運び及び取付けが自在な送風機に関する。
【背景技術】
【０００２】
住居内のあらゆる所で湿気によるカビや菌の発生等の弊害が生じている。
湿気により発生したカビや菌は、放っておくとどんどん増殖するが、風を送って乾燥状態にすることによって増殖を抑制できる。
例えば、洗濯機の槽内のカビや微生物の発生及び増殖を抑制するために、同槽内に乾燥空気を送り込む送風装置がある（特許文献１、特許文献２参照）。また、一般の居住空間において、換気をするために窓を開けたり扇風機を作動したりする。
【特許文献１】特開２００４−２４６００号公報
【特許文献２】特開２００４−８５４４号公報
【考案の開示】
【考案が解決しようとする課題】
【０００３】
ところで、上記の技術には、次のような解決すべき課題があった。
上記送風装置は洗濯機専用であるために、洗濯機以外の他の湿気の多い所等に簡単に送風することができないという不都合があった。また、一般の居住内において窓を開けたり扇風機を作動することでは、窓から入る外の風が弱かったり、扇風機を床面より高い所に設置することができないために所望の換気が行われない場合がある。
【０００４】
本考案は、上記の事情に着目してなされたもので、簡単に持ち運びができ、任意の箇所に自在に設置できる送風機を提供することを目的とする。
【課題を解決するための手段】
【０００５】
本考案の各実施例においては、それぞれ次のような構成により上記の課題を解決する。
〈構成１〉
正面及び背面に通風口を有する箱型の保護カバーと、上記保護カバー内に回転自在に収納された回転羽根と、上記回転羽根を回転駆動するモータと、上記保護カバーの外面に回動自在に配設され、上記保護カバーを支持するＬ字状の支持脚とを備えたことを特徴とする送風機。
【０００６】
送風機の取付け時に、Ｌ字状の支持脚を適宜回動することにより、その取付け状況に迅速に対応できる。例えば、支持脚先端部の向きを変えることにより、洗濯機の洗濯物を出し入れする開口部に取付けたり、居住内の窓辺に吊り下げて取付けたりすることが簡単にできる。
【０００７】
〈構成２〉
構成１記載の送風機において、上記支持脚を、漸次縮径する複数のロッドを順次繋ぎ合わせて構成したことを特徴とする送風機。
【０００８】
支持脚を、ロッドアンテナのように構成したことにより、伸縮及び回動が自在である。伸縮あるいは回動することにより、支持脚を送風機の使用目的に応じた任意の長さ、形状とすることができる。
【０００９】
〈構成３〉
構成１記載の送風機において、上記支持脚を、複数のロッドをボールジョイントを介して順次繋ぎ合わせて構成したことを特徴とする送風機。
【００１０】
支持脚を構成するロッドの回動及び屈曲が自在である。
【００１１】
〈構成４〉
構成１〜３のいずれかに記載の送風機において、上記保護カバーの側面に、２本の上記支持脚を所定間隔を置いて配設したことを特徴とする送風機。
【００１２】
例えば、送風機を居住内の窓に吊り下げて取付ける場合に、Ｌ字状の２本の支持脚の各先端部を対向させ突き合せて閉ループを形成し、これを、窓の上辺に設けられた鉤状の突起に係止するだけで簡単に取付けることができる。また、閉ループに形成した２本の支持脚を、送風機の持ち運び時に取っ手として利用できる。
【００１３】
〈構成５〉
構成４記載の送風機において、上記２本の支持脚を、各基部を上記保護カバーの側面に設けられた長溝にそれぞれ摺動自在に嵌合して配設したことを特徴とする送風機。
【００１４】
送風機の取付け状況に応じて、２本の支持脚を適宜移動してその取付け間隔を接離調整することができる。
【００１５】
〈構成６〉
構成１〜３のいずれかに記載の送風機において、上記支持脚を、その基部を上記保護カバーの側面に設けた回転軸の頭部の側面に固着して上記保護カバーに配設したことを特徴とする送風機。
【００１６】
支持脚の取付構造が簡単で製作し易い。
【００１７】
〈構成７〉
構成１〜６のいずれかに記載の送風機において、上記支持脚の先端部に、ゴム弾性材からなる保護被覆層を設けたことを特徴とする送風機。
【００１８】
保護被覆層により、支持脚自体あるいは支持脚と接触する取付箇所を緩衝保護できる。
【考案を実施するための最良の形態】
【００１９】
以下、本考案の実施の形態を詳細に説明する。
【実施例１】
【００２０】
図１は実施例１の送風機を示す斜視図、図２は同送風機の一部構造を説明するための概略図である。
図１、図２に示すように、実施例１の送風機は、正面及び背面に通風口１２を有する箱型の保護カバー１４と、この保護カバー１４内に回転自在に収納された回転羽根１６と、回転羽根１６を回転駆動するモータ１８と、保護カバー１４の外面に回動自在に取付けられ、保護カバー１４を支持するＬ字状の支持脚２０とを備えている。符号２２は、保護カバー１４内のモータ１８に接続されている電源コードを示している。
【００２１】
保護カバー１４の正面及び背面の各通風口１２には、安全のため、図２に示すように、金属製あるいはプラスチック製の網２４が張られている。回転羽根１６は、その中心部の回転軸１７を介して保護カバー１４内の略中央に設置されている。回転軸１７は図示を省略したが、周知の減速機構を介してモータ１８の回転駆動力が付与されるようにされている。保護カバー１４の対向する両側面に、それぞれ２本ずつの支持脚２０が所定間隔を置いて配設されている。
【００２２】
各支持脚２０は、保護カバー１４の側面に形成された長溝２６に、各支持脚２０の基部２８を摺動自在に嵌合することにより取付けられている。各支持脚２０の基部２８は、長溝２６に沿って摺動自在であるが、長溝２６から簡単に離脱しないように、かつ、長溝２６内の任意位置で静止するようにされている。２本の支持脚２０は、基部２８を長溝２６に沿って摺動させて位置を変えることにより、相対位置が可変とされている。
【００２３】
図示の支持脚２０は、通常のロッドアンテナのように、漸次縮径する複数のロッドを順次繋ぎ合わせて構成されている。各支持脚２０をこのように構成することにより、回動及び伸縮が自在であり、送風機の使用目的に応じて各支持脚２０を、任意の長さ、あるいは、先端部の向きを変えた形状とすることができる。
【００２４】
各支持脚２０は、図示しないが、複数のロッドをボールジョイントを介して順次繋ぎ合わせて構成してもよい。ボールジョイントとは、一方のロッドの端部が球状とされ、これに接合される他方のロッドの端部が上記球状の端部を回動自在に把持できる凹面を有する構成とされた周知の自在継手であり、各接合部で回動及び屈曲が自在である。ロッドの１本の長さとしては、数ｍｍから数１０ｍｍの長さが実用的で好ましい。
【００２５】
支持脚２０の先端部に、ゴム弾性材からなる保護被覆層３２が設けられている。この保護被覆層３２は、有底円筒体に形成されて支持脚２０の先端部に挿脱自在に嵌着されている。損傷した際には適時新旧交換される。保護被覆層３２により、支持脚２０自体あるいは支持脚２０と接触する取付箇所を緩衝保護できる。また、保護被覆層３２の外周面を凹凸面とすることにより使用時に滑り止めの作用を奏する。
【００２６】
図３は、同送風機の使用例を示す斜視図である。
上記のように構成された送風機を使用する際、例えば、送風機を居住内の窓に吊り下げて取付ける場合に、図３に示す上側の２本の支持脚２０の各先端部を対向させ突き合せて閉ループを形成する。この閉ループ状態の２本の支持脚２０を、窓の上辺に設けられた鉤状の突起に係止するだけで簡単に取付けることができる。また、閉ループに形成した２本の支持脚２０を、送風機の持ち運び時に取っ手として利用できる。
【００２７】
上辺に鉤状の突起等がなくカーテンレールのような横木がある窓に簡単に取付ける場合は、図３に示す下側の２本の支持脚２０の各先端部を上側になるよう反転してカーテンレールに係止することにより簡単に取付けることができる。
また、図３に示した状態で、下側の２本の支持脚２０の先端部の向きを適宜調節することにより、送風機を床面に置いて使用することも可能である。
【００２８】
図４は、同送風機の他の使用例を示す斜視図である。
図４に示すように、上下４本の支持脚２０を適当に伸縮して各先端部の向きを同一方向に整えることにより、図５に示すように、洗濯機３４の、洗濯物を出し入れする開口部３６に取付けて洗濯機３４内に安定した状態で送風することができる。
【実施例２】
【００２９】
図６は、実施例２の送風機を示す斜視図である。
実施例２の送風機は、構成部品は実施例１とほぼ同じであるが、支持脚２０の、保護カバー１４への取付け位置と構造のみが異なっている。
すなわち、図６に示すように、各支持脚２０の基部２８を、保護カバー１４の側面に設けられた回転軸の頭部３８の側面に固着したものである。各支持脚２０は、頭部３８を中心として保護カバー１４の側面と同一平面で回動でき、かつ、任意の角度で静止できるようにされている。
この実施例２の送風機は、支持脚２０を取付けるために、実施例１のように保護カバー１４の側面に長溝２６を設ける必要がないので、簡易に製作できる。
【００３０】
なお、上記実施例では、箱形の保護カバー１４の形状が正面や背面からみて正方形あるいは長方形を呈するものを示したが、本考案の送風機は、これに限定されない。例えば、保護カバー１４の、正面や背面からみた形状を、洗濯機の円形開口部に合わせて円形とした場合は洗濯機にフィットさせて取付けることができる等の効果が得られる。従って使用対象に応じて円形、三角形、多角形等の形状としてもよいものである。
【図面の簡単な説明】
【００３１】
【図１】実施例１の送風機を示す斜視図である。
【図２】同送風機の一部構造を説明するための概略図である。
【図３】同送風機の使用例を示す斜視図である。
【図４】同送風機の他の使用例を示す斜視図である。
【図５】同送風機のさらに他の使用例を示す斜視図である。
【図６】実施例２の送風機を示す斜視図である。
【符号の説明】
【００３２】
１２  通風口
１４  保護カバー
１６  回転羽根
１７  回転軸
１８  モータ
２０  支持脚
２２  送風機
２４  網
２６  長溝
２８  基部
３２  保護被覆層
【図１】
0003114885.tif 000003
【図２】
0003114885.tif 000004
【図３】
0003114885.tif 000005
【図４】
0003114885.tif 000006
【図５】
0003114885.tif 000007
【図６】
0003114885.tif 000008